(57)【要約】      （修正有）【課題】ルーバー取付用の取付金具において、締付ボルトを嵌挿してルーバー内に挿入した座板を、回転させる作動が、座板の締結時の有効な締結面積に減少を生じずに、簡単な操作で得られるようにしたルーバー取付金具の座板を提供する。【解決手段】座板Ａを、後面視において、左右の側辺ａ・ｂが締付ボルトＢの螺子締めの回転方向に傾く斜辺となり、それら側辺ａ・ｂがルーバーＬ内部の床板２２から天板２３までの高さ寸法ｈに対応する間隔寸法Ｄをもって平行して対向し、かつ、前記回転方向の前位を占める側辺ａ・ｂ端部のコーナー部分イ・イを結ぶ仮想対角線ｚが、平行して対向する側辺ａ・ｂに対し９０度の角度で交差する形状の菱形に形成する。【選択図】図１６
0003144824.tif 000002
【実用新案登録請求の範囲】
【請求項１】
座板（Ａ）を、後面視において、左右の側辺（ａ）・（ｂ）が締付ボルト（Ｂ）の螺子締めの回転方向に傾く斜辺となり、それら側辺（ａ）・（ｂ）がルーバー（Ｌ）内部の床板（２２）から天板（２３）までの高さ寸法（ｈ）に対応する間隔寸法（Ｄ）をもって平行して対向し、かつ、前記回転方向の前位を占める側辺（ａ）・（ｂ）端部のコーナー部分（イ）・（イ）を結ぶ仮想対角線（ｚ）が、平行して対向する側辺（ａ）・（ｂ）に対し９０度の角度で交差する形状の菱形に形成し、該座板（Ａ）の中心部位に、締付ボルト（Ｂ）を挿通するボルト挿通口（１０）を、それの中心点（Ｐ）が対角を結ぶ２本の仮想対角線（ｚ）・（ｚ’）の交点付近に位置するよう配位して開設したことを特徴とするルーバー取付金具の座板。
【請求項２】
後面視において菱形をなす形状に形成する座板（Ａ）を、二つの直角二等辺三角形が、直角を挟む二つの辺縁のうちの一方の辺縁同志を接合して形成される形態の菱形に形成したことを特徴とする請求項１記載のルーバー取付金具の座板。
【考案の詳細な説明】
【技術分野】
【０００１】
本考案は、アルミ合金等の金属材で格子材状に形成した金属製ルーバーを、建物の外階段外周、外壁、屋上塔屋、空調設備周り等に予め施工しておく取付材に対し、格子状に並列させて組み付けるためのルーバー取付用の取付金具の座板についての改良に関する。
【背景技術】
【０００２】
建物の、外階段外周、屋上塔屋、空調設備周り等に格子状に取り付ける金属製ルーバーは、アルミ合金等の金属材の押出成形により、例えば、図１に示しているように、一定の断面形状で長手方向に連続する長尺材のルーバーＬに形成しておき、これを、予め建造物・施設の外面または回りに施工して取り付けておく取付材Ｍに、図２に示しているよう、角板状の座板Ａと、その座板Ａに形設したボルト挿通口１０に嵌挿する締付ボルトＢと、その締付ボルトＢに螺合して締結する締付ナットＣからなる取付金具Ｗにより組み付けることで、建造物または施設に対し取り付けるようにして使用される。
【０００３】
この金属製のルーバーＬは、アルミ合金等の金属材の押出成形により、図１にあるように、一定の断面形状で長手方向に連続する中空の筒状に形成されるが、それの後面側には、上下の中間部位に、長手方向に連続する開裂状の開口２０が形設してあり、この開口２０を利用して、その開口２０に嵌装する前記取付金具Ｗにより、取付材Ｍに組み付けられる。
【０００４】
このルーバーＬを組み付ける取付材Ｍは、通常、Ｌ字形の断面形状で、長手方向に連続するアングル状に形成してあり、それの一方の辺縁が、ルーバーＬの後端面に接合してルーバーＬの取付板部３０となるように配位して、図２にあるように施工現場の所定位置に配設しておき、その取付材Ｍの取付板部３０の、前記ルーバーＬを取り付けるべき所定位置に、取付金具Ｗの締付ボルトＢの螺子部を嵌挿するための、ボルト挿通穴３１を開設している。
【０００５】
この取付材ＭにルーバーＬを組み付けるためのルーバー取付用の取付金具Ｗは、図２及び図３に示しているように、ステンレス板などの金属板から、上下の高さ寸法Ｈが、ルーバーＬの後端面の上下の後壁２１・２１間に形設した開裂状の開口２０の上下の開口巾Ｋより広い寸法で、左右方向の巾寸法Ｄが、ルーバーＬの開口２０を形設した後端側における内法寸法の上下高さｈに略対応する寸法となる後面視において左右に横長の略長方形乃至矩形をなす形状に形成しておく座板Ａと、これの中央部位に開設したボルト挿通口１０に挿通する頭部付きの締付ボルトＢと、この締付ボルトＢの軸杆状の螺子部に螺合する締付ナットＣとにより構成される。
【０００６】
この取付金具Ｗを用いて行うルーバーＬの取付材Ｍへの組み付けは、取付金具Ｗの角形の座板Ａを、それのボルト挿通口１０に締付ボルトＢの頭部側が嵌挿された状態で、ルーバーＬ内に挿入して、そのルーバーＬの後壁２１の内面に接合するよう位置させ、この座板Ａに挿通してある頭部付きの締付ボルトＢの螺子部を、ルーバーＬの上下の後壁２１と後壁２１との間に形成してある開口２０から後方に突出させ、この締付ボルトＢの螺子部を、取付材Ｍの取付板部３０に形設しておくボルト挿通穴３１に通して、その取付板部３０の後面側に突き出し、この突き出した螺子部に締付ナットＣを螺合して締め付けることで、図４にあるように、ルーバーＬの、開口２０の上下に位置する後壁２１・２１を、座板Ａと取付材Ｍの取付板部３０とで挟持して固定装着せしめることで行なわれる。
【０００７】
この取付材ＭにルーバーＬを組み付けるためのルーバー取付用の取付金具Ｗは、通常、それの座板Ａを、図３に示しているように、それの上下の高さ寸法Ｈが、ルーバーＬ後端面の開口２０の上下の開口巾Ｋより少し大きく、左右の巾寸法ＤがルーバーＬの後端部内におけるルーバーＬの床板２２上面から天板２３下面までの高さ寸法ｈに略対応する寸法となる長方形乃至矩形状の角板状で、かつ、左右の中央線ｙよりも、座板Ａを締付ボルトＢにより回動させるときの回動方向前方に位置してくるコーナー部分を、弧状または斜辺状の切除した形状のものに形成しておき、この座板Ａを、それに締付ボルトＢを嵌挿して、その締付ボルトＢの螺子部がルーバーＬ後端部の開口２０から後方に突出した状態として、ルーバーＬの長手方向の端部のこぐちから、または、開口２０を介して、ルーバーＬ後端部の内部に装入し、所定位置にスライドさせ、その位置において、開口２０から突出してくる締付ボルトＢの螺子部を操作することで、座板Ａを略９０度回転させ、左右の側辺ａ・ｂが、図３の右側に示しているように、ルーバーＬの床板２２の上面と天板２３の下面とにそれぞれ衝合した固定状態とし、この状態において、締付ボルトＢの螺子部を、取付材Ｍに開設したボルト挿通口１０に挿通し、締付ナットＣを螺合して締め付けることで、この座板ＡをルーバーＬに対し締着、固定してルーバーＬを取付材Ｍに組み付けるようにしている。
【０００８】
このとき、座板ＡのルーバーＬ内への挿入を、締付ボルトＢが挿通された状態として行うのは、先に座板ＡだけをルーバーＬ内に挿入すると、その座板Ａに締付ボルトＢを、頭部が座板Ａの内側に位置する状態として座板Ａのボルト挿通口１０に挿通することが出来なくなることによるものである。
【０００９】
また、締付ボルトＢを挿通した座板Ａを、ルーバーＬの長手方向の端部のこぐちからルーバーＬ内に挿入するのは、座板Ａを寝かせた姿勢として開口２０から挿入しようとすると、図５にあるように、座板Ａに挿通した締付ボルトＢが、ルーバーＬの開口２０の口縁につかえて、挿入ができなくなることによる。
【００１０】
このルーバー取付用の取付金具Ｗには、長方形乃至矩形状の角板状に成形した座板Ａを、締付ボルトＢの挿通がなされた状態で、横長の姿勢として、ルーバーＬのこぐちからルーバーＬ内に挿入し、ルーバーＬの開口２０から突出する締付ボルトＢの螺子部をつまんで操作することにより、横長の姿勢とした状態のまま、開口２０に沿いスライドさせ、所定の位置にきたところで、９０度回転させて、左右の側辺ａ・ｂをルーバーＬの床板２２と天板２３とに衝合させて固定状態とし、この状態において締付ナットＣにより締結を行うことから、座板Ａの、左右の側辺ａ・ｂと上下の辺縁ｃ・ｄとのコーナー部分に、ルーバーＬ内腔における座板Ａの回転作動を円滑なものとするために円弧状又は斜めの切除部を設けている。
【００１１】
座板Ａが、締付ボルトＢに螺合した締付ナットＣの締め込みにより締結作用を行う部分は、図３の右半側に示しているように、左右の側辺ａ・ｂがルーバーＬの天板２３と床板２２とに突き当たってつかえた状態に回転させたときに、ルーバーＬの上下の後壁２１・２１の内面と重合するようになる上下の端縁部分だけであり、開口２０に対面してくる中間部分は締結には作用しない。
【００１２】
このことから、この形態の取付金具Ｗには、ルーバーＬ内に挿入した座板Ａを９０度回転させるときの作動が正しく行われるように、座板Ａのコーナー部分を切除していることで、この切除している分だけ締結作用を行う部分の面積を小さくして、締結を弱くしている問題がある。
【００１３】
また、挿入した座板Ａは、それに挿入した締付ボルトＢ中心に締付方向に９０度回転させて左右の側辺ａ・ｂが、ルーバーＬの床板と天板とにそれぞれ衝合してルーバーＬに対し固定された状態とするが、このとき、座板Ａの製作の誤差により、左右の巾寸法がルーバーＬの床板２２から天板２３までの高さ寸法ｈに正しく一致していないか、または、コーナー部分の切除が不足している場合に、座板Ａが９０度回転して左右の側辺ａ・ｂがルーバーＬの床板２２と天板２３に平行して当接する状態となる前に、左右の側辺ａ・ｂの一部がルーバーＬの床板２２・天板２３につかえて、回動が阻止されるか、９０度を超して回動して左右の側辺ａ・ｂの一部が床板２２・天板２３につかえることで回動が阻止されるようになるかして、座板Ａが傾斜した状態で固定されるようになって、締結・固定を不完全にする問題がある。
【００１４】
また、座板Ａを、左右の側辺がルーバーＬの床板および天板に平行する状態となるよう、正しく９０度回転させることがむずかしい問題がある。
【００１５】
ルーバー取付用の取付金具Ｗにおける座板Ａには、図７に示している例の如く、左右の側辺ａ・ｂを、締付ボルトＢによる螺子部の回動方向に傾く斜辺に形成し、かつ、その斜辺に形成した左右の側辺ａ・ｂが、ルーバーＬの内部における床板２２と天板２３との間の高さ距離ｈに対応する巾寸法Ｄをもって平行して対向して、全体として菱形をなす形状に形成したものがある。
【００１６】
この菱形の形状に形成した座板Ａは、斜辺とした左右の側辺ａ・ｂの傾き角度が、図７に示している例の如く、４５度の角度としたものであれば、左右の側辺ａ・ｂが左右に位置する姿勢でルーバーＬの内部に挿入し、所定の位置までスライドさせ、その位置において、４５度回転させるだけで、短冊形とした座板Ａを９０度回転させたときと同様に、左右の側辺ａ・ｂがルーバーＬの床板２２と天板２３に平行して衝合することになって、左右の側辺ａ・ｂを床板２２・天板２３に衝合させるために座板Ａを回転させるときに、わずかの角度の回転で衝合が得られるようになり、この衝合のために座板Ａを回転させる操作を容易にする。
【００１７】
しかし、実際には、回転させたときに、図８にあるように、斜辺の左右の側辺ａ・ｂが床板２２・天板２３と平行してくる前にコーナー部分イが衝合して、側辺ａ・ｂと床板２２・天板２３との間に、隙間を生ぜしめるようになったり、図９にあるように、コーナー部分イが床板２２・天板２３を通り越して、回転方向後位のコーナー部分ロが衝合し、側辺ａ・ｂと床板２２・天板２３との間に隙間を生ぜしめるようになって、座板Ａの締付時の有効な接触面積を小さくする問題がある。
【００１８】
しかも、座板ＡとルーバーＬの床板２２・天板２３との衝合を、コーナー部分イかコーナー部分ロかの点接触の状態とすることで、締結を不確実なものとする問題がある。
【考案の開示】
【考案が解決しようとする課題】
【００１９】
本考案において解決しようとする課題は、角板状に形成した座板Ａと、その座板Ａに設けたボルト挿通口１０に挿通する締付ボルトＢと、その締付ボルトＢの螺子部に螺合して締結する締付ナットＣとからなるルーバー取付用の取付金具Ｗにおいて、締付ボルトＢを嵌挿してルーバーＬ内に挿入した座板Ａを、それの左右の側辺が、ルーバーＬの床板と天板とにそれぞれ平行して対向する状態の姿勢に回転させる際に、その座板Ａを回転さす作動が、座板Ａの締結時の有効な締結面積に減少を生ぜしめずに、簡単な操作で得られるようにすることにある。
【課題を解決するための手段】
【００２０】
上述の課題を解決するための本考案手段は、ルーバー取付用の取付金具の座板の形状および機能について種々の検討を加えて得られた知見に基づいてなされたものである。
【００２１】
即ち、ルーバー取付用の取付金具Ｗの座板Ａは、それの形状を、図７に示している座板のように後面視において、左右の側辺ａ・ｂが締付ボルトＢの螺子締めの回動方向に傾く斜辺となり、それら斜辺とした左右の側辺ａ・ｂが、ルーバーＬ内部の床板２２から天板２３までの高さ寸法ｈに対応する間隔寸法Ｄをもって平行して対向する菱形の形状に形成しておき、締付ボルトＢを挿通するボルト挿通口１０を、それの中心点Ｐが、左右の側辺ａ・ｂの各端部と上下の辺縁ｃ・ｄの各端部とで形成する四つの角のうちの対角を結ぶ２本の仮想対角線ｚ・ｚ’の交点付近に開設しておけば、座板Ａを左右の側辺ａ・ｂが左右の両側に位置する姿勢として、ルーバーＬ内に挿入し、所定の位置に配した状態において、締付ボルトＢ中心に螺子締めの方向に旋回させて左右の側辺ａ・ｂがルーバーＬの床板２２及び天板２３に衝合させるときに、座板Ａが、左右の側辺ａ・ｂを斜辺に形成したその斜辺の傾斜角度の角度分だけ、螺子締めの方向に回動させた状態にあることで、この斜辺とした左右の側辺ａ・ｂの傾斜角度を９０度から差し引いた角度分を回動させることにより、左右の側辺ａ・ｂがルーバーＬの床板２２及び天板２３と平行して衝合するようになって、少しの回転角度量で、回転作動が終了するようになる。
【００２２】
そして、この座板Ａを回転させる操作の際、左右の側辺ａ・ｂが床板２２・天板２３に平行して衝合する前に、左右の側辺ａ・ｂの端部のコーナー部分イ・ロのうちで、螺子締めの回転方向の前方に位置するコーナー部分イが床板２２・天板２３に接触してしまって、側辺ａ・ｂと床板２２・天板２３との間に間隙を生ぜしめたり、回転方向前位のコーナー部分イが、床板２２・天板２３を通り越し、回転方向後位のコーナー部分ロが床板２２・天板２３に衝合するようになって、側辺ａ・ｂと床板２２・天板２３との間に間隙を形成するようになるのは、座板Ａを回転させるときの回転中心となる締付ボルトＢの軸芯点Ｐから、回転方向前位のコーナー部分イまでの距離が、ルーバーＬの床板２２と天板２３との間の高さ寸法ｈの２分の１に正しく適合していないことによるものである。
【００２３】
これには、座板Ａを菱形の形状に形成するとき、二組の対角線のうちの、回転方向の前位のコーナー部分イ・イを結ぶ対角線が斜辺に形成する左右の側辺ａ・ｂに対して９０度の角度で交差し正しく直角に交わるように座板Ａを成形しておけば、座板Ａを回転させるときの、回転中心点Ｐからコーナー部分イまでの距離となる仮想対角線ｚ・ｚ’の２分の１の長さが、中心点Ｐを中心とするコーナー部分イの回転半径に一致し、この回転半径が、対向する側辺ａ・ｂ間の高さ寸法ｈの２分の１に正しく一致するようになり、コーナー部分イが床板２２・天板２３に衝合したときに、側辺ａ・ｂが床板２２・天板２３に平行して衝合するようになる、ということに想到したことによるものである。
【００２４】
そして、このことから、本考案においては、上述の課題を達成するための手段として、座板Ａを、後面視において、左右の側辺ａ・ｂが締付ボルトＢの螺子締めの回転方向に傾く斜辺となり、それら側辺ａ・ｂがルーバーＬ内部の床板２２から天板２３までの高さ寸法ｈに対応する間隔寸法Ｄをもって平行して対向し、かつ、前記回転方向の前位を占める側辺ａ・ｂ端部のコーナー部分イ・イを結ぶ仮想対角線ｚが、平行して対向する側辺ａ・ｂに対し９０度の角度で交差する形状の菱形に形成し、該座板Ａの中心部位に、締付ボルトＢを挿通するボルト挿通口１０を、それの中心点Ｐが対角を結ぶ２本の仮想対角線ｚ・ｚ’の交点付近に位置するよう配位して開設したことを特徴とするルーバー取付金具の座板を提起し、また、
後面視において菱形をなす形状に形成する座板Ａを、二つの直角二等辺三角形が、直角を挟む二つの辺縁のうちの一方の辺縁同志を接合して形成される形態の菱形に形成したことを特徴とするルーバー取付金具の座板を提起するものである。
【考案の効果】
【００２５】
本考案手段によるルーバー取付金具における座板Ａは、左右の側辺ａ・ｂが、締付ボルトＢの螺子締めの回転方向に傾斜した斜辺となり、その斜辺をなす左右の側辺ａ・ｂが、ルーバーＬ内部の床板２２と天板２３との間の高さ寸法ｈに対応する間隔寸法Ｄをもって平行して対向し、かつ、左右の側辺ａ・ｂの端部のコーナー部分のうちの、螺子締めの回転方向における前位のコーナー部分イ・イを結ぶ仮想対角線ｚが、前記平行して対向する側辺ａ・ｂに対し正しく直角に交差するよう設定した形状の菱形に成形し、その座板Ａの中央部位に、締付ボルトＢ挿通用のボルト挿通口１０を、それの中心点Ｐが、２組の対角線ｚ・ｚ’の交差点位置付近に配位して開設してあるのだから、ルーバーＬ内に挿入して所定位置に配置し、嵌挿してある締付ボルトＢを操作して回転させ、左右の側辺ａ・ｂをルーバーＬ内部の床板２２・天板２３に衝合させるとき、斜辺とした左右の側辺ａ・ｂの回転方向の前位のコーナー部分イは、締付ボルトＢの軸芯点である中心点Ｐを中心に、その中心点Ｐからコーナー部分イまでの距離を半径とする仮想円弧上を回動する。中心点Ｐは、コーナー部分イとコーナー部分イを結ぶ仮想対角線ｚ上にあり、その仮想対角線ｚは側辺ａ・ｂに対し正しく直交し、かつ、それの長さ寸法ＤがルーバーＬ内部の床板２２から天板２３までの高さ寸法ｈに一致することで、コーナー部分イが床板２２・天板２３に衝合したときに、側辺ａ・ｂが床板２２・天板２３に正しく平行して衝合することになる。
【００２６】
従って、座板Ａの回転操作を、少ない回動角度量の回転で終了させ得、かつ、回転操作を終えたときに、左右の側辺ａ・ｂとルーバーＬの床板２２・天板２３とが隙間なく衝合するようになって、座板ＡのルーバーＬの上下の後壁２１・２１に対する有効接触面積にロスを生ぜしめないようになる。
【考案を実施するための最良の形態】
【００２７】
次に本考案の実施の形態を、実施例につき図面に従い詳述する。
【実施例１】
【００２８】
図１０乃至図１９は、本考案によるルーバー取付用の取付金具における座板の第１の実施例を示し、図１０はそのルーバー取付用の取付金具における座板の後面図、図１１は同上座板の上面図、図１２は同上座板の下面図、図１３は同上座板の側面図、図１４は同上座板の図１０におけるＩ−Ｉ線縦断側面図、図１５は同上座板をルーバーの前面図、図１６は同上座板の、ルーバー内に挿入した状態における後面図、図１７は同上座板を右回りに回転させた状態における後面図、図１８は同上座板に挿通する締付ボルト及びこれに螺合する締付ナットの平面図、図１９は同上締付ナットの前面図、図２０は同上締付ボルト及び締付ナットの側面図である。
【００２９】
座板Ａは、ステンレススチール・アルミ合金等の金属材から左右の側辺ａ・ｂを互いに平行して対向する斜辺とした菱形の板状乃至盤状に成形してあり、中心部位には締付ボルトＢの挿通用のボルト挿通口１０が、該座板Ａを前後に貫通するように開設してある。
【００３０】
斜辺に形成する左右の側辺ａ・ｂの傾斜方向は、該座板Ａのボルト挿通口１０に挿通した締付ボルトＢの螺子部に締付ナットＣを螺合して、そのナットを締め込んで座板Ａを締結していくときの、ナットを螺子締めしていく方向に傾斜させてあり、図１０の後面図において右方に傾斜する方向である。
【００３１】
そして、この斜辺とする左右の側辺ａ・ｂの傾斜角度は、この例においては、平行して上下に対向する上辺ｃ及び下辺ｄに対し４５度に傾く角度に設定してある。
【００３２】
また、この例の座板Ａは、取り付けようとするルーバーＬの取付部となる後端部の形状が、その後端面に開裂状に開設してある開口２０の上下の開口巾Ｋを２０ミリとし、後端部の内腔における床板２２の上面から天板２３の下面までの高さ寸法を３７ミリとする規格のものに成形されているルーバーＬの取付用に形成したもので、上辺と下辺との間隔寸法となる上下巾を、ルーバーＬの開口２０の開口巾Ｋの２０ミリより広い２５ミリとし、平行して対向する左右の側辺ａ・ｂの間隔寸法Ｄとなる左右の巾を、ルーバーＬの床板２２から天板２３までの高さ寸法ｈと対応する３７ミリとしてあり、板厚は１５ミリとしてある。
【００３３】
また、斜辺とした左右の側辺ａ・ｂの両端部のうちの、前述の螺子締めの回転方向において前方に位置する端部と上辺ｃ及び下辺ｄの各端部とで形成するコーナー部分イ・イを結ぶ仮想対角線ｚが、図１０に示すように、左右の側辺ａ・ｂに対して９０度の角度で交差し、その側辺に対し正しく直角で交わるように設定して菱形の座板Ａに形成してある。
【００３４】
この座板Ａの中心部位に、該座板Ａを前後に貫通させて開設するボルト挿通口１０は、図１６に示しているように、後面視において、前述した回転方向前位の一対のコーナー部分イ・イを結ぶ仮想対角線ｚと回転方向後位の一対のコーナー部分ロ・ロを結ぶ仮想対角線ｚ’との２本の仮想対角線ｚ・ｚ’の交点位置に、該ボルト挿通口１０の中心点Ｐが位置するように配位して開設してある。このボルト挿通口１０は、図１４に示しているように、座板Ａの前面側においては、締付ボルトＢの螺子部が嵌挿される内径の正円形であるが、後面側においては内径の巾で上下に長い長穴状で、前後の中間においては、前面側に向かい順次上下方向の開口径を縮径する横向きのコーン状をなす形状に開設してある。
【００３５】
そしてまた、前面側には、上下の中間部位に、後面側に向け刳り込む凹溝ｏが、左右方向に連続するように形設してある。
【００３６】
この座板Ａは、図１６にあるようにルーバーＬ内に挿入して所定の位置に配置した状態において、ボルト挿通口１０に嵌挿した締付ボルトＢの螺子部の操作により該座板Ａを螺子締めの方向に回転させて、斜辺とした左右の側辺ａ・ｂがルーバーＬの床板２２及び天板２３に平行して衝合する状態とするとき、図１７にあるように、中心点Ｐからコーナー部分イ・イまでの距離を回動半径として中心点Ｐ中心に回動するコーナー部分イ・イが、それらを結ぶ仮想対角線ｚをルーバーＬの床板２２及び天板２３に正しく直交させた状態位置まで回動してきたときに、床板２２及び天板２３に衝合して、それ以後の回動が阻止されるようになり、左右の側辺ａ・ｂは、コーナー部分イ・イを結ぶ仮想対角線ｚに対して、９０度の角度をなすように形成してあることで、このコーナー部分イ・イが床板２２・天板２３に衝合した状態時には、床板２２・天板２３に対し平行して接合するようになる。従って、コーナー部分イ・イが床板２２・天板２３に衝合したときに、左右の側辺ａ・ｂが床板２２・天板２３に平行してぴったりと接合する状態となる。
【００３７】
また、この例の座板Ａは、斜辺とする左右の側辺ａ・ｂの長さと、その左右の側辺ａ・ｂの間隔巾Ｄとが等しくなるように設定してあり、間隔巾Ｄは、コーナー部分イ・イを結ぶ仮想対角線ｚと一致する。このことから、この座板Ａは、左右の側辺ａ・ｂのうちの一方（左方）の側辺ａと仮想対角線ｚと下辺ｄとで囲まれる直角二等辺三角形と、他方の側辺ｂと仮想対角線ｚと上辺ｃとで囲まれる直角二等辺三角形との、２つの二等辺三角形を、直角を挟む２つの辺縁のうちの一方の辺縁と同志が接合する状態に組み合わせた形態の菱形に形成してある。
【００３８】
これにより、締結時における強度を、矩形の角板に形成した座板と変わらないように保持せしめながら、締結時の有効接触面積を、矩形の角板のそれより大きくして、取り付けを強固なものとする。
【００３９】
図２３及び図２４は、本考案によるルーバー取付用の取付金具における座板Ａ’の別の実施例を示している。この例の座板Ａ’は、それの全体の形状を、ステンレススチールまたはアルミ合金等の金属材から、後面視において、左右の側辺ａ・ｂが、締付ボルトＢによる締結の際の螺子締めの回動方向に傾く斜辺となる菱形をなす板状乃至盤状に形成すること、その菱形は、斜辺をなす左右の側辺ａ・ｂの、前記螺子締めの回動方向において前方に位置する一対のコーナー部分イ・イを結ぶ仮想対角線ｚと左右の側辺ａ・ｂとが９０度の角度で交差する関係状態を成立させる形態に設定してあり、この仮想対角線ｚが左右の側辺ａ・ｂに対し直角に交差するように設定してある菱形の形状であること、中央部位には、締付ボルトＢの挿通用のボルト挿通口１０が、二本の仮想対角線ｚ・ｚ’の交点付近に中心点Ｐを配位せしめて、前後に貫通するように開設されること、については、前述の実施例の座板Ａと変わりがない。斜辺とする左右の側辺ａ・ｂの傾き角度が、前述の実施例では上辺ｃ・下辺ｄに対し４５度であったのに対し、この例では６０度としてある点において差異があるだけのものである。
【００４０】
この例の座板Ａ’は、ルーバーＬ内に挿入して、回転させることで左右の側辺ａ・ｂをルーバーＬの床板２２・天板２３に衝合させるときの回転操作が、座板Ａ’を３０度の僅かの回転角度量の回転で終了するようになる。
【図面の簡単な説明】
【００４１】
【図１】ルーバー取付用の取付金具の、使用状態における前面側から見た斜視図である。
【図２】同上の取付金具の同上状態における後面側から見た斜視図である。
【図３】同上取付金具の座板を、それに締付ボルトを嵌挿してルーバー内に挿入した状態及び挿入した座板を９０度右回りに回転させた状態を示すルーバーの一部破断した後面図である。
【図４】同上取付金具の座板を締付ボルトにより締結して、ルーバーを取付材に取り付けた状態の縦断側面図である。
【図５】同上取付金具の座板を、締付ボルトを嵌挿した状態で、ルーバーの開口からルーバー内に挿入するときの説明図である。
【図６】従前のルーバー取付用の取付金具の座板で、細巾に形成した座板を、ルーバー内に挿入した状態及び挿入した座板を９０度回転させた状態を示すルーバーの一部破断した後面図である。
【図７】従前のルーバー取付用の取付金具の座板で、菱形に形成した座板を、ルーバー内に挿入した状態におけるルーバーの一部破断した後面図である。
【図８】同上のルーバー内に挿入した座板を、ルーバーの床板・天板につかえるまで回転させた状態時における後面図である。
【図９】同上の座板の、ルーバーの床板・天板に対するつかえが、別の態様で生じた状態を示す後面図である。
【図１０】本考案を実施せるルーバー取付用の取付金具の座板の後面図である。
【図１１】同上座板の上面図である。
【図１２】同上座板の下面図である。
【図１３】同上座板の側面図である。
【図１４】同上座板の、図１０におけるＩ−Ｉ線縦断面図である。
【図１５】同上座板の前面図である。
【図１６】同上座板の、ルーバー内に挿入した状態における後面図である。
【図１７】同上座板の、同上状態時から回転させて、ルーバーの床板・天板につかえさせた状態時における後面図である。
【図１８】同上座板の取付に用いる締付ボルト及び締付ナットの平面図である。
【図１９】同上座板の取付に用いる締付ボルトの前面図である。
【図２０】同上座板の取付に用いる締付ボルトの側面図である。
【図２１】同上座板を締付ボルトと締付ナットとの締結によりルーバーと取付材とに取り付けた状態の側面図である。
【図２２】同上座板の同上状態時の縦断側面図である。
【図２３】同上座板で左右の側辺の傾斜角度を６０度とした例の座板の、ルーバー内に挿入した状態時における後面図である。
【図２４】同上の座板を、左右の側辺がルーバーの床板・天板につかえるまで回転させた状態時における後面図である。
【符号の説明】
【００４２】
Ａ  Ａ’  座板
Ｂ    締付ボルト
Ｃ    締付ナット
Ｄ    巾寸法
Ｈ    上下の高さ寸法
Ｋ    上下の開口巾
Ｌ    ルーバー
Ｍ    取付材
Ｐ    中心点
Ｗ    取付金具
ａ・ｂ  左右の側辺
ｃ・ｄ  上下の辺縁
ｈ    高さ寸法
ｏ    凹溝
ｚ・ｚ’  仮想対角線
１０    ボルト挿通口
２０    開口
２１    後壁
２２    床板
２３    天板
３０    取付板部
３１    ボルト挿通穴
【図１】
0003144824.tif 000003
【図２】
0003144824.tif 000004
【図３】
0003144824.tif 000005
【図４】
0003144824.tif 000006
【図５】
0003144824.tif 000007
【図６】
0003144824.tif 000008
【図７】
0003144824.tif 000009
【図８】
0003144824.tif 000010
【図９】
0003144824.tif 000011
【図１０】
0003144824.tif 000012
【図１１】
0003144824.tif 000013
【図１２】
0003144824.tif 000014
【図１３】
0003144824.tif 000015
【図１４】
0003144824.tif 000016
【図１５】
0003144824.tif 000017
【図１６】
0003144824.tif 000018
【図１７】
0003144824.tif 000019
【図１８】
0003144824.tif 000020
【図１９】
0003144824.tif 000021
【図２０】
0003144824.tif 000022
【図２１】
0003144824.tif 000023
【図２２】
0003144824.tif 000024
【図２３】
0003144824.tif 000025
【図２４】
0003144824.tif 000026